(57)【要約】【課題】キャリアアグリゲーション中の移動局からの無線品質測定結果を自動的に収集することを目的とする。【解決手段】本発明の一形態による基地局は、キャリアアグリゲーション中の移動局による無線品質測定のための設定情報を生成する設定情報生成部と、生成された設定情報を移動局に送信する送信部と、前記移動局による無線品質測定結果を受信する受信部とを有する。また、本発明の一形態による移動局は、キャリアアグリゲーション中の無線品質測定のための設定情報を受信する受信部と、受信した設定情報に従って無線品質を測定し、無線品質測定結果を生成する無線品質測定部と、無線品質測定結果を基地局に送信する送信部とを有する。【選択図】図４
2014171007.tif 000002
【特許請求の範囲】
【請求項１】
キャリアアグリゲーション中の移動局による無線品質測定のための設定情報を生成する設定情報生成部と、
生成された設定情報を移動局に送信する送信部と、
前記移動局による無線品質測定結果を受信する受信部と、
を有する基地局。
【請求項２】
前記移動局との間の通信のスループットを測定するスループット測定部と、
前記移動局による無線品質測定結果と、前記移動局との間の通信のスループットの測定結果とをログとして記憶するログ記憶部と、
を更に有する、請求項１に記載の基地局。
【請求項３】
前記受信部は、前記移動局の位置情報と共に、無線品質測定結果を受信する、請求項１又は２に記載の基地局。
【請求項４】
キャリアアグリゲーション中の無線品質測定のための設定情報を受信する受信部と、
受信した設定情報に従って無線品質を測定し、無線品質測定結果を生成する無線品質測定部と、
無線品質測定結果を基地局に送信する送信部と、
を有する移動局。
【請求項５】
セカンダリセルの状態の変化を判定するセカンダリセル状態判定部を更に有し、
セカンダリセルの状態が変化した場合、前記送信部は、セカンダリセルの状態の変化を含む無線品質測定結果を前記基地局に送信する、請求項４に記載の移動局。
【請求項６】
前記送信部は、前記移動局の位置情報と共に、無線品質測定結果を前記基地局に送信する、請求項４又は５に記載の移動局。
【請求項７】
基地局における無線品質測定結果受信方法であって、
キャリアアグリゲーション中の移動局による無線品質測定のための設定情報を生成するステップと、
生成された設定情報を移動局に送信するステップと、
前記移動局による無線品質測定結果を受信するステップと、
を有する無線品質測定結果受信方法。
【請求項８】
移動局における無線品質測定結果送信方法であって、
キャリアアグリゲーション中の無線品質測定のための設定情報を受信するステップと、
受信した設定情報に従って無線品質を測定し、無線品質測定結果を生成するステップと、
無線品質測定結果を基地局に送信するステップと、
を有する無線品質測定結果送信方法。
【発明の詳細な説明】
【技術分野】
【０００１】
本発明は、基地局、移動局、無線品質測定結果受信方法及び無線品質測定結果送信方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）では、ＭＤＴ（Ｍｉｎｉｍｉｚａｔｉｏｎ  ｏｆ  Ｄｒｉｖｅ  Ｔｅｓｔｓ）が規定されている（非特許文献１参照）。ＭＤＴ（Ｍｉｎｉｍｉｚａｔｉｏｎ  ｏｆ  Ｄｒｉｖｅ  Ｔｅｓｔｓ）とは、移動局から基地局等のネットワークに対して無線品質測定結果を報告させることで、無線品質測定結果をネットワーク設計に利用するための技術である。ＭＤＴは、オペレータがネットワークで実施しなければならない手動による走行試験を代替し、運用コスト（ＯＰＥＸ：Ｏｐｅｒａｔｉｏｎ  Ｅｘｐｅｎｓｅ）や設備投資（ＣＡＰＥＸ：Ｃａｐｉｔａｌ  Ｅｘｐｅｎｄｉｔｕｒｅ）を減少させることができる。
【０００３】
図１は、ＭＤＴの概略図である。移動局（ＵＥ：Ｕｓｅｒ  Ｅｑｕｉｐｍｅｎｔ）が無線品質測定結果に位置情報を付与して基地局（ｅＮＢ：ｅｖｏｌｖｅｄ  ＮｏｄｅＢ）又はＯＡＭ（Ｏｐｅｒａｔｉｏｎ，  Ａｄｍｉｎｉｓｔｒａｔｉｏｎ  ａｎｄ  Ｍａｉｎｔｅｎａｎｃｅ）サーバに送信することで、基地局又はＯＡＭサーバは、セル内における位置と、無線品質やスループット状態とを把握することができる。移動局が基地局と接続している場合（ＲＲＣ＿Ｃｏｎｎｅｃｔｅｄ状態）、移動局は、無線品質測定結果をリアルタイムにＭｅａｓＲｅｐｏｒｔにて基地局に報告する。このような無線品質測定結果のリアルタイムの報告をＩｍｍｅｄｉａｔｅ  ＭＤＴと呼ぶ。一方、移動局がアイドル状態である場合（ＲＲＣ＿Ｉｄｌｅ状態）、移動局は、無線品質測定結果を移動局内にログとして保存し、移動局が基地局と接続した状態（ＲＲＣ＿Ｃｏｎｎｅｃｔｅｄ状態）になるタイミングでログを基地局に報告する。このような保存したログの報告をＬｏｇｇｅｄ  ＭＤＴと呼ぶ。
【先行技術文献】
【非特許文献】
【０００４】
【非特許文献１】3GPP TS 37.320 V11.2.0 (2012-12)
【非特許文献２】3GPP TS 36.331 V11.2.0 (2012-12)
【非特許文献３】3GPP TR 36.300 V11.4.0 (2012-12)
【発明の概要】
【発明が解決しようとする課題】
【０００５】
現在、３ＧＰＰでは、ＬＴＥ（Ｌｏｎｇ  Ｔｅｒｍ  Ｅｖｏｌｕｔｉｏｎ）の次世代の通信規格として、ＬＴＥ−Ａ（Ｌｏｎｇ  Ｔｅｒｍ  Ｅｖｏｌｕｔｉｏｎ−Ａｄｖａｎｃｅｄ）の標準化が進められている。ＬＴＥ−Ａシステムでは、ＬＴＥシステムとのバックワードコンパチビリティを確保しつつ、ＬＴＥシステムを上回るスループットを実現するため、キャリアアグリゲーション（ＣＡ：Ｃａｒｒｉｅｒ  Ａｇｇｒｅｇａｔｉｏｎ）技術が導入される。キャリアアグリゲーション技術では、ＬＴＥシステムによりサポートされている２０ＭＨｚの最大帯域幅を有するＬＴＥキャリア（コンポーネントキャリアとも呼ばれる）が基本コンポーネントとして利用され、複数のコンポーネントキャリアを同時に用いることによって、より広帯域な通信を実現することが図られている（非特許文献２及び３参照）。
【０００６】
図２は、キャリアアグリゲーションの概略図である。キャリアアグリゲーションに対応した移動局は、複数のコンポーネントキャリアを同時に用いて基地局と通信することが可能である。例えば、図２に示す８００ＭＨｚ帯及び２ＧＨｚ帯の双方でのキャリアアグリゲーションに対応した移動局は、８００ＭＨｚ帯と２ＧＨｚ帯とを束ねた通信をすることができる。一方、キャリアアグリゲーションに対応していない移動局は、１つのコンポーネントキャリアのみで基地局と通信することが可能である。
【０００７】
キャリアアグリゲーションでは、移動局との接続性を担保する信頼性の高いプライマリセル（ＰＣｅｌｌ：Ｐｒｉｍａｒｙ  Ｃｅｌｌ）と、プライマリセルに接続中の移動局に追加的に設定されるセカンダリセル（ＳＣｅｌｌ：Ｓｅｃｏｎｄａｒｙ  Ｃｅｌｌ）とが設定される。例えば、図２に示される具体例において、２つのコンポーネントキャリアの一方がプライマリセルに設定され、他方がセカンダリセルに設定されてもよい。
【０００８】
図３は、キャリアアグリゲーション対応エリアの概略図である。キャリアアグリゲーションに対応した移動局は、プライマリセルとセカンダリセルとが設定されているキャリアアグリゲーション対応エリアにおいて、複数のコンポーネントキャリアを同時に用いて通信することができる。図３に示すように、プライマリセルの中に、セカンダリセルが設定されたセル１及びセル２が存在する場合、セル１及びセル２のそれぞれは、プライマリセルとセカンダリセルとが設定されているキャリアアグリゲーション対応エリアである。なお、図３において、セカンダリセルの中に、プライマリセルが設定されたセル１及びセル２が存在してもよい。例えば、キャリアアグリゲーション対応エリアは、図３（Ａ）に示すように不連続に配置されてもよく、図３（Ｂ）に示すように連続的に配置されてもよい。
【０００９】
位置（１）において、基地局は、Ｅｖｅｎｔ  Ａｘ（例えば、Ｅｖｅｎｔ  Ａ３／Ａ４）が満たされた場合、ＲＲＣ（Ｒａｄｉｏ  Ｒｅｓｏｕｒｃｅ  Ｃｏｎｔｒｏｌ）レイヤでセカンダリセルの追加を決定する。なお、Ｅｖｅｎｔ  Ａｘへの転入又は転出は、移動局の無線品質が特定の条件を満たしたか否かによって規定されている。例えば、Ｅｖｅｎｔ  Ａ１は、サービングセルの無線品質が閾値と比較して良くなった場合に満たされるものとする。Ｅｖｅｎｔ  Ａ２は、サービングセルの無線品質が閾値と比較して悪くなった場合に満たされるものとする。Ｅｖｅｎｔ  Ａ３は、周辺セルの無線品質がプライマリセルの無線品質と比較して一定値より良くなった場合に満たされるものとする。Ｅｖｅｎｔ  Ａ４は、周辺セルの無線品質が閾値と比較して良くなった場合に満たされるものとする。Ｅｖｅｎｔ  Ａ５は、プライマリセルの無線品質が第１の閾値より良くなり、セカンダリセルの無線品質が第２の閾値より悪くなった場合に満たされるものとする。Ｅｖｅｎｔ  Ａ６は、周辺セルの無線品質がセカンダリセルの無線品質と比較して一定値より良くなった場合に満たされるものとする。
【００１０】
セカンダリセルの追加後、基地局は、ＭＡＣ（Ｍｅｄｉｕｍ  Ａｃｃｅｓｓ  Ｃｏｎｔｒｏｌ）レイヤでセカンダリセルのアクティベーションを行う。なお、セカンダリセルのアクティベーションは、例えばＥｖｅｎｔ  Ａ１／Ａ２が満たされた場合に行ってもよい。また、セカンダリセルの追加直後に測定結果を利用せずに行われてもよく、ＣＱＩ（Ｃｈａｎｎｅｌ  Ｑｕａｌｉｔｙ  Ｉｎｄｉｃａｔｏｒ）に基づいて行われてもよい。位置（２）において、基地局は、セカンダリセルのアクティベーション解除及びセカンダリセルの削除を行う。この場合、移動局は、プライマリセルに接続して通信する。
【００１１】
位置（３）では、位置（１）と同様に、新たなセカンダリセルの追加及びアクティベーションが行われ、位置（４）では、位置（２）と同様に、新たなセカンダリセルのアクティベーション解除及び削除が行われる。また、キャリアアグリゲーション対応エリアが連続的に配置される場合、位置（２'）において、新たなセカンダリセルが追加される。なお、前のセカンダリセルは設定されたままでもよく、削除されてもよい。
【００１２】
このように、キャリアアグリゲーションでは、複数のコンポーネントキャリアが使用される。このため、キャリアアグリゲーション対応エリアの有無によって、移動局と基地局との間の無線品質測定結果及びスループット状態が異なる。
【００１３】
現状のＭＤＴは、ＬＴＥシステムによりサポートされている２０ＭＨｚの最大帯域幅を有するＬＴＥキャリアを前提としており、移動局からキャリアアグリゲーション中の無線品質測定結果を報告させることができない。
【００１４】
このため、基地局は、キャリアアグリゲーション中の無線品質測定結果を取得することができず、移動局による無線品質測定結果、移動局とのスループット状態、移動局のキャリアアグリゲーション状態等を管理することができない。
【００１５】
本発明は、キャリアアグリゲーション中の移動局からの無線品質測定結果を自動的に収集することを目的とする。
【課題を解決するための手段】
【００１６】
本発明の一形態による基地局は、
キャリアアグリゲーション中の移動局による無線品質測定のための設定情報を生成する設定情報生成部と、
生成された設定情報を移動局に送信する送信部と、
前記移動局による無線品質測定結果を受信する受信部と、
を有する。
【００１７】
また、本発明の一形態による移動局は、
キャリアアグリゲーション中の無線品質測定のための設定情報を受信する受信部と、
受信した設定情報に従って無線品質を測定し、無線品質測定結果を生成する無線品質測定部と、
無線品質測定結果を基地局に送信する送信部と、
を有する。
【００１８】
また、本発明の一形態による無線品質測定結果受信方法は、
基地局における無線品質測定結果受信方法であって、
キャリアアグリゲーション中の移動局による無線品質測定のための設定情報を生成するステップと、
生成された設定情報を移動局に送信するステップと、
前記移動局による無線品質測定結果を受信するステップと、
を有する。
【００１９】
また、本発明の一形態による無線品質測定結果送信方法は、
移動局における無線品質測定結果送信方法であって、
キャリアアグリゲーション中の無線品質測定のための設定情報を受信するステップと、
受信した設定情報に従って無線品質を測定し、無線品質測定結果を生成するステップと、
無線品質測定結果を基地局に送信するステップと、
を有する。
【発明の効果】
【００２０】
本発明によれば、キャリアアグリゲーション中の移動局からの無線品質測定結果を自動的に収集することが可能になる。
【図面の簡単な説明】
【００２１】
【図１】ＭＤＴの概略図
【図２】キャリアアグリゲーションの概略図
【図３】キャリアアグリゲーション対応エリアの概略図
【図４】本発明の実施例に係る基地局の構成図
【図５】本発明の実施例に係る基地局の動作を示すフローチャート（ＭＤＴ設定及び送信）
【図６】本発明の実施例に係る基地局の動作を示すフローチャート（ＭｅａｓＲｅｐｏｒｔ受信及びスループット測定）
【図７】本発明の実施例に係る移動局の構成図
【図８】本発明の実施例に係る移動局の動作を示すフローチャート
【図９】本発明の実施例に係る基地局及び移動局の動作のシーケンス図
【発明を実施するための形態】
【００２２】
以下、本発明の実施例について、図面を参照して説明する。
【００２３】
本発明の実施例では、ＬＴＥ−Ａ（Ｌｏｎｇ  Ｔｅｒｍ  Ｅｖｏｌｕｔｉｏｎ  Ａｄｖａｎｃｅｄ）システムのような無線通信システムにおいて、キャリアアグリゲーションを利用して通信する移動局及び基地局について説明する。上記のように、キャリアアグリゲーションでは、基地局（ｅＮＢ：ｅｖｏｌｖｅｄ  ＮｏｄｅＢ）は、移動局（ＵＥ：Ｕｓｅｒ  Ｅｑｕｉｐｍｅｎｔ）との接続性を担保するためのプライマリセルと、プライマリセルに接続中の移動局に追加的に設定されるセカンダリセルとが用いられる。
【００２４】
プライマリセルとセカンダリセルとが設定されているキャリアアグリゲーション対応エリアにおいて、移動局による無線品質測定結果を受信するために、基地局は、キャリアアグリゲーション中の移動局による無線品質測定のための設定情報を生成し、移動局に送信する。以下の説明において、無線品質測定結果はＭｅａｓＲｅｐｏｒｔと呼ばれ、無線品質測定結果のための設定情報はＭＤＴ設定情報（ＭＤＴ  Ｃｏｎｆｉｇｕｒａｔｉｏｎ）と呼ばれる。そして、移動局は、ＭＤＴ設定情報に従って無線品質を測定してＭｅａｓＲｅｐｏｒｔを基地局に送信し、基地局は、ＭｅａｓＲｅｐｏｒｔを受信する。ＭｅａｓＲｅｐｏｒｔには、移動局の位置情報が付与されてもよい。このように受信したＭｅａｓＲｅｐｏｒｔは、基地局におけるスループットの測定結果と共にネットワークパラメータを最適化するために使用されてもよく、ＭＤＴのログを管理するＴＣＥ（Ｔｒａｃｅ  Ｃｏｌｌｅｃｔｉｏｎ  Ｅｎｔｉｔｙ）又はＯＡＭサーバのような管理サーバに送信されて管理サーバでネットワーク全体のパラメータを最適化するために使用されてもよい。
【００２５】
＜基地局の構成＞
図４に、本発明の実施例に係る基地局１０の構成を示す。基地局１０は、移動局と無線接続することによって、交換局等から受信した下りリンクデータを移動局に送信すると共に、移動局から受信した上りリンクデータを交換局等に送信する。
【００２６】
基地局１０は、設定情報生成部１０１と、送信部１０３と、受信部１０５とを有する。基地局１０は、スループット測定部１０７と、ログ記憶部１０９と、管理部１１１とを有してもよい。
【００２７】
設定情報生成部１０１は、キャリアアグリゲーション中の移動局による無線品質測定のためのＭＤＴ設定情報を生成する。ＭＤＴ設定情報には、報告周期及び報告項目が含まれる。報告周期は、プライマリセル及びセカンダリセルで共通したものでもよく、別々のものでもよい。ＭＤＴ設定情報には、セカンダリセルの状態が変化したことを移動局から報告させるための報告項目が含まれてもよい。例えば、ＭＤＴ設定情報に新たな情報要素（例えば、ＣＡ  ＭＤＴＣｏｎｆｉｇ  ＩＥ）を追加することにより、セカンダリセルの追加及びアクティベーションを移動局から報告させてもよい。また、ＭＤＴ設定情報には、ＭｅａｓＲｅｐｏｒｔに移動局の位置情報を付与させるための情報要素（例えば、ｉｎｃｌｕｄｅＬｏｃａｔｉｏｎＩｎｆｏ  ＩＥ）が追加されてもよい。
【００２８】
送信部１０３は、ＭＤＴ設定情報を移動局に送信する。送信部１０３は、移動局がアイドル状態（ＲＲＣ＿Ｉｄｌｅ状態）から接続状態（ＲＲＣ＿Ｃｏｎｎｅｃｔｅｄ状態）になった場合又はハンドオーバの後のような任意のタイミングで、ＭＤＴ設定情報を移動局に送信する。
【００２９】
受信部１０５は、移動局からＭｅａｓＲｅｐｏｒｔを受信する。ＭｅａｓＲｅｐｏｒｔには、プライマリセル及びセカンダリセルの無線品質情報が含まれる。例えば、ＭｅａｓＲｅｐｏｒｔには、サービングセルまたは周辺セルのＲＳＲＰ（Ｒｅｆｅｒｅｎｃｅ  Ｓｉｇｎａｌ  Ｒｅｃｅｉｖｅｄ  Ｐｏｗｅｒ）又はＲＳＲＱ（Ｒｅｆｅｒｅｎｃｅ  Ｓｉｇｎａｌ  Ｒｅｃｅｉｖｅｄ  Ｑｕａｌｉｔｙ）のような無線品質が含まれる。また、上り物理チャンネル（ＰＵＣＣＨ（Ｐｈｙｓｉｃａｌ  Ｕｐｌｉｎｋ  Ｃｏｎｔｒｏｌ  Ｃｈａｎｎｅｌ））にはプライマリセル及びセカンダリセルのＣＳＩ（Ｃｈａｎｎｅｌ  Ｓｔａｔｅ  Ｉｎｄｉｃａｔｏｒ）を示す無線品質が含まれる。なお、ＣＳＩには、ＣＱＩ（Ｃｈａｎｎｅｌ  Ｑｕａｌｉｔｙ  Ｉｎｄｉｃａｔｏｒ）とＲＩ（Ｒａｎｋ  Ｉｎｄｉｃａｔｏｒ）とが含まれる。このＭｅａｓＲｅｐｏｒｔには、時刻情報及び移動局の位置情報が付与されてもよい。
【００３０】
スループット測定部１０７は、キャリアアグリゲーション中の移動局に対して、移動局との間の通信のスループットを測定する。すなわち、ＭＤＴ設定情報を送信した移動局がキャリアアグリゲーション対応エリアで複数のコンポーネントキャリアを同時に使用して通信している場合、スループット測定部１０７は、移動局との間の通信のスループットを測定する。このように、スループット測定部１０７は、ＭＤＴ設定情報が移動局に送信されたとしても、キャリアアグリゲーションが適用されない限り、スループットを測定しなくてもよい。スループットとは、ある時間におけるデータ量の平均値を示してもよい。例えば、スループット測定部１０７は、移動局の上りリンク又は下りリンクのスループット、移動局におけるＥＰＳ（Ｅｖｏｌｖｅｄ  Ｐａｃｋｅｔ  Ｓｙｓｔｅｍ）ベアラ毎のスループット、移動局におけるベアラのＱＣＩ（ＱｏＳ  ｃｌａｓｓ  ｉｄｅｎｔｉｆｉｅｒ）毎のスループットを測定する。なお、スループットの測定は、ＭＤＴ設定情報に含まれる報告周期に従って行われてもよく、他の任意のタイミングで行われてもよい。
【００３１】
ログ記憶部１０９は、スループット測定情報と、ＭｅａｓＲｅｐｏｒｔに含まれる測定結果をログとして記憶する。
【００３２】
管理部１１１は、設定情報生成部１０１で生成されたＭＤＴ設定情報に対する基地局１０における受信及びログ記憶動作を管理する。また、管理部１１１は、移動局に対するセカンダリセルの追加又はアクティベーションを管理する。特に、管理部１１１は、設定情報生成部１０１で生成されたＭＤＴ設定情報に従って、移動局の設定情報（ＵＥ  Ｃｏｎｔｅｘｔ）を更新する。その結果、当該移動局からキャリアアグリゲーション中の無線品質の測定結果を含むＭｅａｓＲｅｐｏｒｔを受信することを認識する。また、管理部１１１は、スループット測定部１０７で測定したスループット測定情報と、ＭｅａｓＲｅｐｏｒｔに含まれる測定結果とを時刻情報によって互いに関連付けてログ記憶部１０９に記憶してもよい。
【００３３】
なお、記憶されたログをＴＣＥ又はＯＡＭサーバのような管理サーバに通信するための管理サーバ通信部が基地局１０に存在してもよい。管理サーバ通信部（図示せず）は、ＭｅａｓＲｅｐｏｒｔに含まれる測定結果と、移動局との間の通信のスループットの測定結果とを管理サーバに送信する。また、移動局の位置情報がＭｅａｓＲｅｐｏｒｔに付与される場合、管理サーバ通信部は、移動局の位置情報も管理サーバに送信してもよい。なお、ログ記憶部１０９に記憶されたスループット測定情報とＭｅａｓＲｅｐｏｒｔに含まれる測定結果とは、管理サーバに送信され、管理サーバにおいて互いに関連付けられてもよい。
【００３４】
＜基地局の動作＞
図５に、本発明の実施例に係る基地局の動作（ＭＤＴ設定及び送信）を示す。
【００３５】
ステップＳ１０１において、設定情報生成部１０１は、ＭＤＴ設定情報を生成し、送信部１０３は、移動局がアイドル状態（ＲＲＣ＿Ｉｄｌｅ状態）から接続状態（ＲＲＣ＿Ｃｏｎｎｅｃｔｅｄ状態）になった場合又はハンドオーバの後のような任意のタイミングで、ＭＤＴ設定情報を移動局に送信する。
【００３６】
ステップＳ１０３において、管理部１１１は、移動局の設定情報（ＵＥ  Ｃｏｎｔｅｘｔ）を更新することにより、当該移動局からキャリアアグリゲーション中の無線品質の測定結果を含むＭｅａｓＲｅｐｏｒｔを受信することを認識する。
【００３７】
図６に、本発明の実施例に係る基地局の動作（ＭｅａｓＲｅｐｏｒｔ受信及びスループット測定）を示す。
【００３８】
ステップＳ１５１において、管理部１１１は、移動局の設定情報（ＵＥ  Ｃｏｎｔｅｘｔ）においてＭＤＴ設定情報が有効になっているかを判定する。すなわち、管理部１１１は、移動局からキャリアアグリゲーション中の無線品質の測定結果を含むＭｅａｓＲｅｐｏｒｔを受信するか否かを判定する。
【００３９】
ＭＤＴ設定情報が有効になっている場合、ステップＳ１５３において、スループット測定部１０７は、キャリアアグリゲーション中の移動局との間の通信のスループットを測定し、スループットの測定結果をログ記憶部１０９に保持する。
【００４０】
ステップＳ１５５において、受信部１０５は、移動局からＭｅａｓＲｅｐｏｒｔを受信し、ログ記憶部１０９に保持する。
【００４１】
ステップＳ１５７において、管理部１１１は、ログ記憶部１０９の中で、スループットの測定結果及びＭｅａｓＲｅｐｏｒｔを互いに関連付けてもよい。
【００４２】
ステップＳ１５９において、管理サーバ通信部は、ログ記憶部１０９に記憶されたログ情報をＴＣＥ又はＯＡＭサーバのような管理サーバに通信してもよい。
【００４３】
＜移動局の構成＞
図７に、本発明の実施例に係る移動局２０の構成を示す。移動局２０は、携帯電話やスマートフォンなどの無線通信機能を備えた何れか適切な装置であってもよい。
【００４４】
移動局２０は、受信部２０１と、無線品質測定部２０３と、送信部２０５とを有する。移動局２０は、セカンダリセル状態判定部２０７と、管理部２０９とを更に有してもよい。
【００４５】
受信部２０１は、基地局により設定されたＭＤＴ設定情報を受信する。
【００４６】
無線品質測定部２０３は、受信したＭＤＴ設定情報に従って無線品質を測定し、無線品質の測定結果を含むＭｅａｓＲｅｐｏｒｔを生成する。具体的には、無線品質測定部２０３は、実際にユーザプレーン（Ｕ−Ｐｌａｎｅ）でデータを送受信しているか否かに拘らず、サービングセル又は周辺セルのＲＳＲＰ（Ｒｅｆｅｒｅｎｃｅ  Ｓｉｇｎａｌ  Ｒｅｃｅｉｖｅｄ  Ｐｏｗｅｒ）又はＲＳＲＱ（Ｒｅｆｅｒｅｎｃｅ  Ｓｉｇｎａｌ  Ｒｅｃｅｉｖｅｄ  Ｑｕａｌｉｔｙ）のような無線品質を測定する。特に、無線品質測定部２０３は、キャリアアグリゲーション対応エリアにおいてセカンダリセルが追加されてアクティベーションされている状態で、ＭＤＴ設定情報に含まれる報告周期に従って、ＭＤＴ設定情報に含まれる報告項目を生成し、ＭｅａｓＲｅｐｏｒｔを生成する。ＭｅａｓＲｅｐｏｒｔには、プライマリセル及びセカンダリセルの無線品質情報が含まれる。プライマリセル及びセカンダリセルで共通した報告周期が用いられる場合、無線品質測定部２０３は、双方のセルの測定結果をＭｅａｓＲｅｐｏｒｔに設定してもよい。また、プライマリセル及びセカンダリセルで別々の報告周期が用いられる場合、無線品質測定部２０３は、それぞれの周期にて対応するセルの測定結果をＭｅａｓＲｅｐｏｒｔに設定してもよい。
【００４７】
送信部２０５は、生成されたＭｅａｓＲｅｐｏｒｔを基地局に送信する。送信部２０５は、ＭＤＴ設定情報に含まれる報告周期に従ってＭｅａｓＲｅｐｏｒｔを基地局に送信する。送信部２０５は、無線品質測定部２０３により測定された最新の無線品質を含むＭｅａｓＲｅｐｏｒｔを送信してもよい。
【００４８】
セカンダリセル状態判定部２０７は、セカンダリセルの追加及びアクティベーションのようなセカンダリセルの状態の変化を判定する。セカンダリセルの追加及びアクティベーションは、Ｅｖｅｎｔ  Ａｘの特定の条件が満たされたときに行われる。例えば、Ｅｖｅｎｔ  Ａ１は、サービングセルの無線品質が閾値と比較して良くなった場合に満たされるものとする。Ｅｖｅｎｔ  Ａ２は、サービングセルの無線品質が閾値と比較して悪くなった場合に満たされるものとする。Ｅｖｅｎｔ  Ａ３は、周辺セルの無線品質がプライマリセルの無線品質と比較して一定値より良くなった場合に満たされるものとする。Ｅｖｅｎｔ  Ａ４は、周辺セルの無線品質が閾値と比較して良くなった場合に満たされるものとする。Ｅｖｅｎｔ  Ａ５は、プライマリセルの無線品質が第１の閾値と比較して良くなり、セカンダリセルの無線品質が第２の閾値と比較して悪くなった場合に満たされるものとする。Ｅｖｅｎｔ  Ａ６は、周辺セルの無線品質がセカンダリセルの無線品質と比較して一定値より良くなった場合に満たされるものとする。なお、Ｉｎｔｅｒ−ＲＡＴハンドオーバに関して、Ｅｖｅｎｔ  Ｂ１／Ｂ２も規定されており、Ｅｖｅｎｔ  Ｂ１は異システムの周辺セルの無線品質が閾値と比較して良くなった場合に満たされるものとし、Ｅｖｅｎｔ  Ｂ２はプライマリセルの閾値が第１の閾値と比較して悪くなり、異システムの周辺セルの無線品質が第２の閾値と比較して悪くなった場合に満たされるものとする。例えば、基地局からＲＲＣレイヤのＲＲＣ  Ｍｅａｓｕｒｅｍｅｎｔ  Ｃｏｎｆｉｇｕｒａｔｉｏｎによってセカンダリセルの追加が行われた場合、セカンダリセル状態判定部２０７は、セカンダリセルの追加が行われたという情報を、ＭｅａｓＲｅｐｏｒｔに設定してもよい。このときに、時刻情報及び位置情報をＭｅａｓＲｅｐｏｒｔに付与してもよい。更に具体的な例として、Ｅｖｅｎｔ  Ａ３が満たされた場合、且つ、ＭＤＴ設定情報にＣＡ  ＭＤＴＣｏｎｆｉｇＩＥ及びｉｎｃｌｕｄｅＬｏｃａｔｉｏｎＩｎｆｏ  ＩＥが設定されている場合、セカンダリセル状態判定部２０７は、ＭｅａｓＲｅｐｏｒｔにおいてＳＣｅｌｌＡｄｄＭｏｄ  ＩＥにＡｄｄｉｔｉｏｎと設定し、位置情報及び無線品質測定結果と共に基地局に報告してもよい。また、基地局からＭＡＣレイヤでセカンダリセルのアクティベーションが行われた場合、セカンダリセル状態判定部２０７は、セカンダリセルのアクティベーションが行われたという情報を、ＭｅａｓＲｅｐｏｒｔに設定してもよい。このときに、時刻情報及び位置情報をＭｅａｓＲｅｐｏｒｔに付与してもよい。
【００４９】
なお、位置情報は、ＧＰＳ（Ｇｌｏｂａｌ  Ｐｏｓｉｔｉｏｎｉｎｇ  Ｓｙｓｔｅｍ）により取得されてもよく、ネットワークと移動局との間で使用可能な位置判定方法により取得されてもよい。例えば、Ａｓｓｉｓｔｅｄ−ＧＰＳ、Ｅ−ＣＩＤ（Ｅｎｈａｎｃｅｄ  Ｃｅｌｌ  ＩＤ）、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）、ＳＵＰＬ（Ｓｅｃｕｒｅ  Ｕｓｅｒ  Ｐｌａｎｅ）による位置判定等が用いられてもよい。
【００５０】
管理部２０９は、受信部２０１で受信したＭＤＴ設定情報に基づく移動局２０における無線品質の測定及び送信動作を管理する。特に、管理部２０９は、基地局により設定されたＭＤＴ設定情報を受信部２０１で受信した場合、キャリアアグリゲーション中の無線品質の測定結果を含むＭｅａｓＲｅｐｏｒｔを測定する必要があることを認識する。そして、管理部２０９は、セカンダリセル状態判定部２０７においてセカンダリセルの追加又はアクティベーションが行われている場合、無線品質測定部２０３に対してキャリアアグリゲーション中の無線品質の測定を指示する。
【００５１】
＜移動局の動作＞
図８に、本発明の実施例に係る移動局の動作を示す。
【００５２】
ステップＳ２０１において、管理部２０９は、基地局により設定されたＭＤＴ設定情報を受信部２０１で受信したか否かを判定する。
【００５３】
ＭＤＴ設定情報を受信している場合、ステップＳ２０３において、セカンダリセル状態判定部２０７は、セカンダリセルが追加されたか否かを判定する。セカンダリセルが追加された場合、ステップＳ２０５において、セカンダリセル状態判定部２０７は、セカンダリセルが追加されたという情報をＭｅａｓＲｅｐｏｒｔに設定する。
【００５４】
更に、ステップＳ２０７において、セカンダリセル状態判定部２０７は、セカンダリセルがアクティベーションされたか否かを判定する。セカンダリセルがアクティベーションされた場合、ステップＳ２０９において、セカンダリセル状態判定部２０７は、セカンダリセルが追加されたという情報をＭｅａｓＲｅｐｏｒｔに設定する。
【００５５】
ステップＳ２１１において、無線品質測定部２０３は、受信したＭＤＴ設定情報に従って無線品質を測定し、無線品質の測定結果を含むＭｅａｓＲｅｐｏｒｔを生成する。そして、送信部２０３は、ＭｅａｓＲｅｐｏｒｔを基地局に送信する。
【００５６】
＜基地局及び移動局の動作のシーケンス＞
図９に、本発明の実施例に係る基地局及び移動局の動作を示す。図９には、移動局における処理をＭＤＴ機能とＲＲＣ／ＭＡＣレイヤとに分けて記載しており、基地局における処理をＭＤＴ機能とＰＤＣＰ（Ｐａｃｋｅｔ  Ｄａｔａ  Ｃｏｎｖｅｒｇｅｎｃｅ  Ｐｒｏｔｏｃｏｌ）レイヤとＲＲＣ／ＭＡＣレイヤとに分けて記載している。
【００５７】
ステップＳ３０１において、基地局の設定情報送信部１０１で生成されたＭＤＴ設定情報は、送信部１０３により、ＲＲＣレイヤで移動局に送信される。
【００５８】
ステップＳ３０３において、移動局の無線品質測定部２０３は、特定のセルに関する無線品質を測定する。特定のセルについて無線品質が良好になった場合、移動局はＥｖｅｎｔ  Ａ３／Ａ４が満たされたと判断し、ステップＳ３０５において、送信部２０５からＲＲＣレイヤで無線品質の測定結果を含むＭｅａｓＲｅｐｏｒｔを基地局に送信する。
【００５９】
ステップＳ３０７において、基地局の管理部１１１は、ＲＲＣレイヤにおいて、特定のセルがセカンダリセルとして追加可能か否かを判断する。セカンダリセルとして追加可能である場合、ステップＳ３０９において、基地局の管理部１１１は、ＲＲＣレイヤでセカンダリセルの追加を移動局に指示する。また、ステップＳ３１１において、移動局のセカンダリセル状態判定部２０７は、セカンダリセルの状態が変化したことを認識し、セカンダリセルの追加という情報を記憶する。
【００６０】
ステップＳ３１３において、移動局の無線品質測定部２０３は、追加されたセカンダリセルの無線品質を測定し、送信部２０５からＲＲＣレイヤでＣＱＩのような測定結果を基地局に送信する。ステップＳ３１３は、所定の周期に従って複数回行われてもよい。
【００６１】
ステップＳ３１５において、セカンダリセルのＣＱＩが閾値を上回った場合、ステップＳ３１７において、基地局の管理部１１１は、ＭＡＣレイヤでセカンダリセルのアクティベーションを移動局に指示する。ステップＳ３１９において、基地局のスループット測定部１０７は、ＰＤＣＰレイヤで移動局との間の通信のスループットを測定する。また、ステップＳ３２１において、移動局のセカンダリセル状態判定部２０７は、セカンダリセルの状態が変化したことを認識し、セカンダリセルのアクティベーションという情報を記憶する。
【００６２】
ステップＳ３２３において、移動局のセカンダリセル状態判定部２０７は、セカンダリセルの追加及びアクティベーションのようなキャリアアグリゲーション状態をＭｅａｓＲｅｐｏｒｔに設定し、送信部２０５からＲＲＣレイヤでＭｅａｓＲｅｐｏｒｔを基地局に送信する。このＭｅａｓＲｅｐｏｒｔには、セカンダリセルの追加及びアクティベーション、位置情報及び無線品質の測定結果が含まれてもよい。ステップＳ３２５において、基地局の管理部１１１は、セカンダリセルの追加及びアクティベーションのようなキャリアアグリゲーション状態、スループット測定部１０７で測定されたスループット、ＭｅａｓＲｅｐｏｒｔに設定された無線品質及び位置情報等を互いに関連付けてログ記憶部１０９に記憶する。
【００６３】
ステップＳ３２７において、移動局の無線品質測定部２０３は、受信したＭＤＴ設定情報に従ってプライマリセル及びセカンダリセルの無線品質の測定を開始する。ステップＳ３２９において、移動局の無線品質測定部２０３は、無線品質の測定結果を記憶する。ステップＳ３３１において、ＭＤＴ設定情報で設定された報告周期に従って、無線品質の測定結果を含むＭｅａｓＲｅｐｏｒｔは、送信部２０５からＲＲＣレイヤで基地局に送信される。ステップＳ３３３において、基地局の管理部１１１は、スループット測定部１０７で測定されたスループット、ＭｅａｓＲｅｐｏｒｔに設定された無線品質及び位置情報等を互いに関連付けてログ記憶部１０９に記憶する。
【００６４】
＜実施例の効果＞
本発明の実施例によれば、キャリアアグリゲーション中の移動局からの無線品質測定結果を自動的に収集することが可能になる。例えば、キャリアアグリゲーション中のスループット状態、セカンダリセルの状態、無線品質等の情報を収集することが可能になる。その結果、ネットワークの機能が正常に動作しているか否かをモニタリングすることができる。
【００６５】
また、収集した無線品質測定結果を用いることにより、ネットワークパラメータの最適化のようなネットワーク設計が実現できる。例えば、ある位置において、キャリアアグリゲーション中の移動局の中でスループットの状況を比較し、スループットが予想される無線品質（ＲＳＲＰ又はＲＳＲＱ）或いはチャネル品質情報（ＣＱＩ）に対応するか否かを判定することができる。仮にＲＳＲＰ又はＲＳＲＱ或いはＣＱＩが良好であるにも拘らずスループットが良くない場合は、キャリアアグリゲーションの設定の効果がない、セカンダリセルの配置が最適ではない、設定パラメータが最適ではない等の原因があると考えられる。
【００６６】
従来では、オペレータは自分の測定者、特別な端末、疑似トラヒックを用いてキャリアアグリゲーションの効果の走行試験を行う必要があるが、本発明の実施例によれば、キャリアアグリゲーション中の移動局からの無線品質測定結果を自動的に収集することが可能になり、運用コストや設備投資を減少させることが可能になる。
【００６７】
説明の便宜上、本発明の実施例に係る移動局及び基地局は機能的なブロック図を用いて説明しているが、本発明の実施例に係る移動局及び基地局は、ハードウェア、ソフトウェア又はそれらの組み合わせで実現されてもよい。また、各機能部が必要に応じて組み合わせて使用されてもよい。また、本発明の実施例に係る方法は処理の流れを示すフローチャートを用いて説明しているが、本発明の実施例に係る方法は、実施例に示す順序と異なる順序で実施されてもよい。
【００６８】
以上、キャリアアグリゲーション中の移動局からの無線品質測定結果を自動的に収集するための手法について説明したが、本発明は、上記の実施例に限定されることなく、特許請求の範囲内において、種々の変更・応用が可能である。
【符号の説明】
【００６９】
１０    基地局
１０１  設定情報生成部
１０３  送信部
１０５  受信部
１０７  スループット測定部
１０９  ログ記憶部
１１１  管理部
２０    移動局
２０１  受信部
２０３  無線品質測定部
２０５  送信部
２０７  セカンダリセル状態判定部
２０９  管理部
【図１】
2014171007.tif 000003
【図２】
2014171007.tif 000004
【図３】
2014171007.tif 000005
【図４】
2014171007.tif 000006
【図５】
2014171007.tif 000007
【図６】
2014171007.tif 000008
【図７】
2014171007.tif 000009
【図８】
2014171007.tif 000010
【図９】
2014171007.tif 000011